【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  車両とともに移動中の端末装置と外部のサーバ装置との間でパケット通信を行うためのシステムであって、
車両内に設置された車両内通信手段と、
車両が停車するか、または、通常の運行速度よりも低い速度で通過することが予定されている運行経路上の複数の通信ポイントにそれぞれ設置された複数の経路上通信手段と、
前記経路上通信手段に対して接続され、外部のサーバ装置との間でネットワークを介してデータパケットのやりとりを行う機能をもった代理サーバ装置と、
を備え、
前記車両内通信手段は、車両内に存在する端末装置との間で無線によりデータパケットの送受信を行う車内通信機能と、車両が通信ポイント付近に停車している状態、もしくは、車両が通信ポイント付近を通常の運行速度よりも低い速度で通過している状態において、当該通信ポイントに設置された経路上通信手段との間で無線によりデータパケットの送受信を行う車外通信機能と、を有し、前記車内通信機能により端末装置からデータパケットを受信した場合に、このデータパケットを前記車外通信機能が実行可能になるまで一時的に保管し、前記車外通信機能が実行可能になったときに、一時的に保管していたデータパケットを経路上通信手段へと送信する処理を実行し、経路上通信手段からデータパケットを受信した場合に、このデータパケットを前記車内通信機能により宛先となる端末装置へ送信する処理を実行し、
前記経路上通信手段は、前記車両内通信手段からデータパケットを受信した場合に、このデータパケットを前記代理サーバ装置へと送信する処理を実行し、前記代理サーバ装置から所定の端末装置宛のデータパケットを受信した場合に、このデータパケットを、自己が設置された通信ポイント付近に到来した車両内に設置された車両内通信手段へと送信する処理を実行し、
前記代理サーバ装置は、前記経路上通信手段から受信したデータパケットをネットワークを介して外部のサーバ装置へと送信する処理を実行するとともに、外部のサーバ装置からネットワークを介して受信したデータパケットを、複数の通信ポイントにそれぞれ設置された複数の経路上通信手段へと送信する処理を実行し、
前記車両内通信手段は、車両内に存在する端末装置から受信したデータパケットに対してデータ圧縮を行い、前記代理サーバ装置は、圧縮されたデータパケットを伸張する処理を行い、前記車両内通信手段から前記代理サーバ装置へと転送されるデータパケットが圧縮された状態になるようにし、
前記代理サーバ装置は、外部のサーバ装置から受信したデータパケットに対してデータ圧縮を行い、前記車両内通信手段は、圧縮されたデータパケットを伸張する処理を行い、前記代理サーバ装置から前記車両内通信手段へと転送されるデータパケットが圧縮された状態になるようにすることを特徴とする移動体パケット通信システム。
【請求項２】  請求項１に記載の移動体パケット通信システムにおいて、
所定の路線に沿って走行する列車の車両内に車両内通信手段を設置し、この路線上の駅に通信ポイントを定義して経路上通信手段を設置したことを特徴とする移動体パケット通信システム。
【請求項３】  請求項１に記載の移動体パケット通信システムにおいて、
所定の道路上を走行する自動車の車両内に車両内通信手段を設置し、この道路上の交差点、料金所、もしくはパーキングエリアに通信ポイントを定義して経路上通信手段を設置したことを特徴とする移動体パケット通信システム。
【請求項４】  請求項１〜３のいずれかに記載の移動体パケット通信システムにおいて、
車両内通信手段にＤＨＣＰの機能をもたせ、この機能により車両内に存在する端末装置に対してプライベートＩＰアドレスを付与し、代理サーバ装置にＮＡＴの機能をもたせ、この機能によりプライベートＩＰアドレスとグローバルＩＰアドレスとの変換を行わせ、システム内部ではプライベートＩＰアドレスを用いたパケット通信が行われ、外部のサーバ装置との間ではグローバルＩＰアドレスを用いたパケット通信が行われるようにしたことを特徴とする移動体パケット通信システム。
【請求項５】  請求項１〜４のいずれかに記載の移動体パケット通信システムにおいて、
代理サーバ装置が、外部のサーバ装置からネットワークを介して受信したデータパケットを、当該データパケットの宛先となる端末装置が存在する車両が所定時間内に到来する可能性のある所定の地理的範囲内の複数の通信ポイントにそれぞれ設置された経路上通信手段へと送信する処理を実行することを特徴とする移動体パケット通信システム。
【請求項６】  請求項１〜５のいずれかに記載の移動体パケット通信システムにおいて、
代理サーバ装置が、個々の車両宛のデータパケットごとに、それぞれ別個のパケット群を構成し、構成した各パケット群のそれぞれを複数の経路上通信手段へと送信する処理を行い、
車両内通信手段が、所定の経路上通信手段から自己車両宛のパケット群を受信したときに、当該パケット群の受領を確認する受領確認情報を前記所定の経路上通信手段に対して送信する処理を行い、
各経路上通信手段が、代理サーバ装置から受信したデータパケットを、それぞれの通信ポイント付近に車両が到来するたびに、到来した車両内に設置された車両内通信手段へと繰り返し送信する処理を実行し、かつ、いずれか１つの経路上通信手段が特定のパケット群についての受領確認情報を受信した場合に、この特定のパケット群と同一のパケット群を廃棄する処理を実行することを特徴とする移動体パケット通信システム。
【請求項７】  請求項１〜５のいずれかに記載の移動体パケット通信システムにおいて、
各経路上通信手段が、代理サーバ装置から受信したデータパケットを、それぞれの通信ポイント付近に車両が到来するたびに、到来した車両内に設置された車両内通信手段へと繰り返し送信する処理を実行し、かつ、代理サーバ装置から受信した後に所定の時間が経過したデータパケットについては、これを廃棄する処理を実行することを特徴とする移動体パケット通信システム。
【請求項８】  請求項１〜５のいずれかに記載の移動体パケット通信システムにおいて、
各経路上通信手段が、代理サーバ装置から受信したデータパケットを、それぞれの通信ポイント付近に車両が到来するたびに、到来した車両内に設置された車両内通信手段へと繰り返し送信する処理を実行し、かつ、送信繰り返し回数が所定回数に達したデータパケットについては、これを廃棄する処理を実行することを特徴とする移動体パケット通信システム。
【請求項９】  請求項１〜５のいずれかに記載の移動体パケット通信システムにおいて、
各経路上通信手段が、それぞれの通信ポイント付近に車両が到来するたびに、到来した車両を特定する処理を実行し、代理サーバ装置から受信したデータパケットのうち、特定された車両宛のデータパケットのみを選択し、この選択したデータパケットを到来した車両内に設置された車両内通信手段へと送信した後にこれを廃棄する処理を実行し、かつ、他の経路上通信手段によって車両への送信が完了したパケットと同一のパケットについては、これを廃棄する処理を実行することを特徴とする移動体パケット通信システム。
【請求項１０】  請求項１〜９のいずれかに記載の移動体パケット通信システムにおいて、
端末装置から外部のサーバ装置に対して、所定時間内の返信を要求するデータパケットの送信が行われたときに、車両内通信手段が、外部のサーバ装置に代わって返信を行う代理返信機能を有することを特徴とする移動体パケット通信システム。
【手続補正２】
【補正対象書類名】明細書
【補正対象項目名】０００６
【補正方法】変更
【補正の内容】
【０００６】
(1)   本発明の第１の態様は、車両とともに移動中の端末装置と外部のサーバ装置との間でパケット通信を行うための移動体パケット通信システムにおいて、
車両内に設置された車両内通信手段と、
車両が停車するか、または、通常の運行速度よりも低い速度で通過することが予定されている運行経路上の複数の通信ポイントにそれぞれ設置された複数の経路上通信手段と、
これら経路上通信手段に対して接続され、外部のサーバ装置との間でネットワークを介してデータパケットのやりとりを行う機能をもった代理サーバ装置と、
を設け、
車両内通信手段は、車両内に存在する端末装置との間で無線によりデータパケットの送受信を行う車内通信機能と、車両が通信ポイント付近に停車している状態、もしくは、車両が通信ポイント付近を通常の運行速度よりも低い速度で通過している状態において、当該通信ポイントに設置された経路上通信手段との間で無線によりデータパケットの送受信を行う車外通信機能と、を有し、車内通信機能により端末装置からデータパケットを受信した場合に、このデータパケットを車外通信機能が実行可能になるまで一時的に保管し、車外通信機能が実行可能になったときに、一時的に保管していたデータパケットを経路上通信手段へと送信する処理を実行し、経路上通信手段からデータパケットを受信した場合に、このデータパケットを車内通信機能により宛先となる端末装置へ送信する処理を実行するようにし、
経路上通信手段は、車両内通信手段からデータパケットを受信した場合に、このデータパケットを代理サーバ装置へと送信する処理を実行し、代理サーバ装置から所定の端末装置宛のデータパケットを受信した場合に、このデータパケットを、自己が設置された通信ポイント付近に到来した車両内に設置された車両内通信手段へと送信する処理を実行するようにし、
代理サーバ装置は、経路上通信手段から受信したデータパケットをネットワークを介して外部のサーバ装置へと送信する処理を実行するとともに、外部のサーバ装置からネットワークを介して受信したデータパケットを、複数の通信ポイントにそれぞれ設置された複数の経路上通信手段へと送信する処理を実行するようにし、
車両内通信手段に、車両内に存在する端末装置から受信したデータパケットに対してデータ圧縮を行う機能をもたせ、代理サーバ装置に、圧縮されたデータパケットを伸張する機能をもたせ、車両内通信手段から代理サーバ装置へと転送されるデータパケットが圧縮された状態になるようにし、
代理サーバ装置に、外部のサーバ装置から受信したデータパケットに対してデータ圧縮を行う機能をもたせ、車両内通信手段に、圧縮されたデータパケットを伸張する機能をもたせ、代理サーバ装置から車両内通信手段へと転送されるデータパケットが圧縮された状態になるようにしたものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
(5)   本発明の第５の態様は、上述の第１〜第４の態様に係る移動体パケット通信システムにおいて、
代理サーバ装置が、外部のサーバ装置からネットワークを介して受信したデータパケットを、当該データパケットの宛先となる端末装置が存在する車両が所定時間内に到来する可能性のある所定の地理的範囲内の複数の通信ポイントにそれぞれ設置された経路上通信手段へと送信する処理を実行するようにしたものである。
【手続補正５】
【補正対象書類名】明細書
【補正対象項目名】００１２
【補正方法】変更
【補正の内容】
【００１２】
(6)   本発明の第６の態様は、上述の第１〜第５の態様に係る移動体パケット通信システムにおいて、
代理サーバ装置が、個々の車両宛のデータパケットごとに、それぞれ別個のパケット群を構成し、構成した各パケット群のそれぞれを複数の経路上通信手段へと送信する処理を行い、
車両内通信手段が、所定の経路上通信手段から自己車両宛のパケット群を受信したときに、当該パケット群の受領を確認する受領確認情報を、パケット群を受信した所定の経路上通信手段に対して送信する処理を行い、
各経路上通信手段が、代理サーバ装置から受信したデータパケットを、それぞれの通信ポイント付近に車両が到来するたびに、到来した車両内に設置された車両内通信手段へと繰り返し送信する処理を実行し、かつ、いずれか１つの経路上通信手段が特定のパケット群についての受領確認情報を受信した場合に、この特定のパケット群と同一のパケット群を廃棄する処理を実行するようにしたものである。
【手続補正６】
【補正対象書類名】明細書
【補正対象項目名】００１３
【補正方法】変更
【補正の内容】
【００１３】
(7)   本発明の第７の態様は、上述の第１〜第５の態様に係る移動体パケット通信システムにおいて、
各経路上通信手段が、代理サーバ装置から受信したデータパケットを、それぞれの通信ポイント付近に車両が到来するたびに、到来した車両内に設置された車両内通信手段へと繰り返し送信する処理を実行し、かつ、代理サーバ装置から受信した後に所定の時間が経過したデータパケットについては、これを廃棄する処理を実行するようにしたものである。
【手続補正７】
【補正対象書類名】明細書
【補正対象項目名】００１４
【補正方法】変更
【補正の内容】
【００１４】
(8)   本発明の第８の態様は、上述の第１〜第５の態様に係る移動体パケット通信システムにおいて、
各経路上通信手段が、代理サーバ装置から受信したデータパケットを、それぞれの通信ポイント付近に車両が到来するたびに、到来した車両内に設置された車両内通信手段へと繰り返し送信する処理を実行し、かつ、送信繰り返し回数が所定回数に達したデータパケットについては、これを廃棄する処理を実行するようにしたものである。
【手続補正８】
【補正対象書類名】明細書
【補正対象項目名】００１５
【補正方法】変更
【補正の内容】
【００１５】
(9)  本発明の第９の態様は、上述の第１〜第５の態様に係る移動体パケット通信システムにおいて、
各経路上通信手段が、それぞれの通信ポイント付近に車両が到来するたびに、到来した車両を特定する処理を実行し、代理サーバ装置から受信したデータパケットのうち、特定された車両宛のデータパケットのみを選択し、この選択したデータパケットを到来した車両内に設置された車両内通信手段へと送信した後にこれを廃棄する処理を実行し、かつ、他の経路上通信手段によって車両への送信が完了したパケットと同一のパケットについては、これを廃棄する処理を実行するようにしたものである。
【手続補正９】
【補正対象書類名】明細書
【補正対象項目名】００１６
【補正方法】変更
【補正の内容】
【００１６】
(10)  本発明の第１０の態様は、上述の第１〜第９の態様に係る移動体パケット通信システムにおいて、
端末装置から外部のサーバ装置に対して、所定時間内の返信を要求するデータパケットの送信が行われたときに、車両内通信手段が、外部のサーバ装置に代わって返信を行う代理返信機能を有するようにしたものである。